(57)【要約】【課題】  どのような映像信号に対してもフリッカの発生を十分に抑制しつつ誤差成分を拡散することができる誤差拡散装置、誤差拡散方法およびそれを用いた表示装置を提供する。【解決手段】  誤差拡散装置３００Ｒは、誤差加算器１、最終誤差分割器２、誤差選択器３および切替制御器４を備える。最終誤差分割器２は、（ｍ−ｎ）ビットの誤差成分Ｅを、複数のフィールド間誤差と複数のフィールド内誤差とに分割する。切替制御器４は、切替信号ｓｅｌを誤差選択器３に与える。誤差選択器３は、切替信号ｓｅｌに基づいて複数のフィールド間誤差および複数のフィールド内誤差から１つのフィールド間誤差および１つのフィールド内誤差をそれぞれフィールド間誤差Ｅ１およびフィールド内誤差Ｅ２として選択して出力する。誤差加算器１は、画像データＶＤＲにフィールド間誤差Ｅ１およびフィールド内誤差Ｅ２を加算して画像データＶＤ１として出力する。【選択図】        図４ 
2005106888.tif 000002
【特許請求の範囲】
【請求項１】
ｍビットの第１の映像信号をｎ（ｎ＜ｍ）ビットの第２の映像信号に変換する際に、前記第１の映像信号の下位（ｍ−ｎ）ビットに相当する誤差成分を前記第１の映像信号に拡散する誤差拡散装置であって、
現フィールドにおける注目画素についての前記誤差成分を、他のフィールドに拡散されるべき第１の誤差データと現フィールドにおける前記注目画素の周囲の画素に拡散されるべき第２の誤差データとに複数の分割方法で分割する分割手段と、
前記分割手段における前記複数の分割方法のうちいずれかを選択する選択手段と、
前記選択手段により選択された分割方法を用いて前記分割手段により得られた前記第１の誤差データを前記他のフィールドの前記第１の映像信号に加算するとともに、前記選択手段により選択された分割方法を用いて前記分割手段により得られた前記第２の誤差データを前記現フィールドにおける前記周囲の画素についての前記第１の映像信号に加算する加算手段と、
前記選択手段による選択を順次切り替える切替手段とを備えたことを特徴とする誤差拡散装置。
【請求項２】
前記加算手段は、前記第１の誤差データを次のフィールドにおける前記注目画素と同じ位置の画素についての前記第１の映像信号に加算することを特徴とする請求項１記載の誤差拡散装置。
【請求項３】
前記加算手段は、前記第２の誤差データを前記現フィールドにおける前記注目画素に隣接する複数の画素についての前記第１の映像信号に加算することを特徴とする請求項１または２記載の誤差拡散装置。
【請求項４】
前記誤差成分は複数ビットを含み、前記分割手段は、前記誤差成分の各ビットを前記第１の誤差データの対応するビットまたは前記第２の誤差データの対応するビットに振り分けることにより前記誤差成分を複数の分割方法で前記第１の誤差データと前記第２の誤差データとに分割することを特徴とする請求項１〜３のいずれかに記載の誤差拡散装置。
【請求項５】
前記分割手段は、前記誤差成分の値を複数種類の比で前記第１の誤差データと前記第２の誤差データとに分割することにより前記誤差成分を前記複数の分割方法で前記第１の誤差データと前記第２の誤差データとに分割することを特徴とする請求項１〜３のいずれかに記載の誤差拡散装置。
【請求項６】
前記複数の分割方法は、前記誤差成分のすべてを前記第１の誤差データまたは前記第２の誤差データに割り当てることを含むことを特徴とする請求項１〜５のいずれかに記載の誤差拡散装置。
【請求項７】
前記切替手段は、前記選択手段による選択を少なくとも１フィールドごとに切り替えることを特徴とする請求項１〜６のいずれかに記載の誤差拡散装置。
【請求項８】
前記切替手段は、前記選択手段による選択を注目画素ごとに切り替えることを特徴とする請求項１〜７のいずれかに誤差拡散装置。
【請求項９】
前記切替手段は、前記選択手段による選択をランダムに切り替える乱数発生手段を含むことを特徴とする請求項１〜８のいずれかに記載の誤差拡散装置。
【請求項１０】
前記第１の映像信号は複数の第１の原色信号を含み、前記第２の映像信号は複数の第２の原色信号を含み、
前記分割手段、前記選択手段および前記加算手段は、前記複数の第１の原色信号に対応して、それぞれ複数の分割手段、複数の選択手段および複数の加算手段を含み、
前記切替手段は、前記複数の選択手段の選択を共通に切り替えることを特徴とする請求項１〜９のいずれかに記載の誤差拡散装置。
【請求項１１】
前記第１の映像信号は複数の第１の原色信号を含み、前記第２の映像信号は複数の第２の原色信号を含み、
前記分割手段、前記選択手段、前記加算手段および前記切替手段は、前記複数の第１の原色信号に対応して、それぞれ複数の分割手段、複数の選択手段、複数の加算手段および複数の切替手段を含むことを特徴とする請求項１〜９のいずれかに記載の誤差拡散装置。
【請求項１２】
前記第１の映像信号は第１の輝度信号を含み、前記第２の映像信号は第２の輝度信号を含むことを特徴とする請求項１〜１１のいずれかに記載の誤差拡散装置。
【請求項１３】
ｍビットの第１の映像信号をｎ（ｎ＜ｍ）ビットの第２の映像信号に変換する際に、前記第１の映像信号の下位（ｍ−ｎ）ビットに相当する誤差成分を前記第１の映像信号に拡散する誤差拡散方法であって、
現フィールドにおける注目画素についての前記誤差成分を、他のフィールドに拡散されるべき第１の誤差データと現フィールドにおける前記注目画素の周囲の画素に拡散されるべき第２の誤差データとに複数の分割方法で分割するステップと、
前記複数の分割方法のうちいずれかを選択するステップと、
前記選択された分割方法を用いて得られた第１の誤差データを前記他のフィールドの前記第１の映像信号に加算するステップと、
前記選択された分割方法を用いて得られた第２の誤差データを前記現フィールドにおける前記周囲の画素についての前記第１の映像信号に加算するステップと、
前記選択を順次切り替えるステップとを備えたことを特徴とする誤差拡散方法。
【請求項１４】
ｍビットの第１の映像信号をｎ（ｎ＜ｍ）ビットの第２の映像信号に変換するとともに、前記第１の映像信号の下位（ｍ−ｎ）ビットに相当する誤差成分を前記第１の映像信号に拡散する請求項１〜１２のいずれかに記載の誤差拡散装置と、
前記誤差拡散装置により得られた前記第２の映像信号を表示する表示パネルとを備えたことを特徴とする表示装置。
【発明の詳細な説明】
【技術分野】
【０００１】
本発明は、ｍビットの映像信号をｎ（ｎ＜ｍ）ビットの映像信号に変換する際に、（ｍ−ｎ）ビットの誤差成分をｎビットの映像信号に拡散する誤差拡散装置、誤差拡散方法およびそれを用いた表示装置に関する。
【背景技術】
【０００２】
プラズマディスプレイ装置等のデジタル方式の表示装置では、画面に表示される映像の階調数に応じて表示装置内で処理可能な映像信号のビット数が制限されている。そのため、処理可能な映像信号のビット数よりも大きいビット数の映像信号が表示装置に入力された場合には表示される階調に誤差が生じる。
【０００３】
例えば、８ビットの映像信号を処理可能な表示装置に１０ビットの映像信号が入力された場合、２ビットの誤差成分が生じる。その結果、画面に表示される映像の階調再現性が悪くなる。
【０００４】
そこで、映像の階調再現性を良好にするために、誤差成分を時間的または空間的に拡散する種々の誤差拡散方法および誤差拡散装置が提案されている。
【０００５】
例えば、Ｐビットの原画像データからＬ（Ｌ＜Ｐ）ビットの画像表示データを生成する場合に、ある画素に対応する画像データの下位（Ｐ−Ｌ）ビットを誤差データとして、その一部を同一フレーム内の周辺画素に対応する画像データに加算することによりフレーム内擬似階調処理を行うとともに、誤差データの他の一部を同一画素に対応する他のフレームの画像データに加算することによりフレーム間擬似階調処理を行う画像情報処理方法が提案されている（特許文献１参照）。これにより、Ｐビットの原画像データから擬似的にＬビットの画像表示データが生成される。
【特許文献１】特許第２８０４６８６号公報
【発明の開示】
【発明が解決しようとする課題】
【０００６】
上記の従来の画像情報処理方法では、まずフレーム内でＰビットの原画像データを処理した後に、処理結果であるＰビットの画像データを複数のフレーム間で処理してＬビットの画像表示データを生成している。
【０００７】
このような方法によれば、フレーム内処理で拡散される誤差がなくかつフレーム間処理で拡散される誤差がある場合に、フレームごとに映像の輝度が周期的に変化することとなる。その結果、表示される映像にフリッカが発生する。
【０００８】
液晶表示装置では、輝度変化の応答速度が低く、画面面積が小さいため、映像のフリッカはさほど顕在化されないが、プラズマディスプレイ装置では、液晶表示装置に比べて輝度変化の応答速度が高く、画面面積が大きいため、映像のフリッカが顕著に発生する。
【０００９】
本発明の目的は、どのような映像信号に対してもフリッカの発生を十分に抑制しつつ誤差成分を拡散することができる誤差拡散装置、誤差拡散方法およびそれを用いた表示装置を提供することである。
【課題を解決するための手段】
【００１０】
第１の発明に係る誤差拡散装置は、ｍビットの第１の映像信号をｎ（ｎ＜ｍ）ビットの第２の映像信号に変換する際に、第１の映像信号の下位（ｍ−ｎ）ビットに相当する誤差成分を第１の映像信号に拡散する誤差拡散装置であって、現フィールドにおける注目画素についての誤差成分を、他のフィールドに拡散されるべき第１の誤差データと現フィールドにおける注目画素の周囲の画素に拡散されるべき第２の誤差データとに複数の分割方法で分割する分割手段と、分割手段における複数の分割方法のうちいずれかを選択する選択手段と、選択手段により選択された分割方法を用いて分割手段により得られた第１の誤差データを他のフィールドの第１の映像信号に加算するとともに、選択手段により選択された分割方法を用いて分割手段により得られた第２の誤差データを現フィールドにおける周囲の画素についての第１の映像信号に加算する加算手段と、選択手段による選択を順次切り替える切替手段とを備えたものである。
【００１１】
本発明に係る誤差拡散装置においては、分割手段により、現フィールドにおける注目画素についての誤差成分が、他のフィールドに拡散されるべき第１の誤差データと現フィールドにおける注目画素の周囲の画素に拡散されるべき第２の誤差データとに複数の分割方法で分割され、複数の分割方法のうちいずれかが選択手段により選択される。そして、選択された分割方法を用いて得られた第１の誤差データが他のフィールドの第１の映像信号に加算手段により加算される。それにより、第１の誤差データが時間的に拡散される。また、選択された分割方法を用いて得られた第２の誤差データが現フィールドにおける周囲の画素についての第１の映像信号に加算手段により加算される。それにより、第２の誤差データが空間的に拡散される。この場合、選択手段による分割方法の選択が切替手段により順次切り替えられる。
【００１２】
このようにして、第１の誤差データおよび第２の誤差データへの誤差成分の分割方法が順次切り替えられるので、誤差成分の時間的な拡散方法および空間的な拡散方法が順次変化する。それにより、表示される映像において周期的な誤差拡散によるフリッカの発生が防止される。
【００１３】
加算手段は、第１の誤差データを次のフィールドにおける注目画素と同じ位置の画素についての第１の映像信号に加算してもよい。
【００１４】
この場合、第１の誤差データが、次のフィールドにおける注目画素と同じ位置の画素に時間的に拡散される。
【００１５】
加算手段は、第２の誤差データを現フィールドにおける注目画素に隣接する複数の画素についての第１の映像信号に加算してもよい。
【００１６】
この場合、第２の誤差データが、現フィールドにおける注目画素に隣接する複数の画素に空間的に拡散される。
【００１７】
誤差成分は複数ビットを含み、分割手段は、誤差成分の各ビットを第１の誤差データの対応するビットまたは第２の誤差データの対応するビットに振り分けることにより誤差成分を複数の分割方法で第１の誤差データと第２の誤差データとに分割してもよい。
【００１８】
この場合、誤差成分を構成する複数のビットの各々が、第１の誤差データまたは第２の誤差データのそれぞれに対応するビットに振り分けられる。これにより、誤差拡散による輝度変化に周期性が生じない。
【００１９】
分割手段は、誤差成分の値を複数種類の比で第１の誤差データと第２の誤差データとに分割することにより誤差成分を複数の分割方法で第１の誤差データと第２の誤差データとに分割してもよい。
【００２０】
この場合、誤差成分の値が、複数種類の比で第１の誤差データと第２の誤差データとに分割される。これにより、誤差拡散による輝度変化に周期性が生じない。
【００２１】
複数の分割方法は、誤差成分のすべてを第１の誤差データまたは第２の誤差データに割り当てることを含んでもよい。
【００２２】
この場合、誤差成分のすべてが第１の誤差データまたは第２の誤差データに振り分けられる場合が含まれることになる。それにより、フリッカの原因が除去され、または第２の誤差データのみで誤差拡散を行った場合に映像信号に観察される特有の誤差拡散模様の発生が防止される。
【００２３】
切替手段は、選択手段による選択を少なくとも１フィールドごとに切り替えてもよい。
【００２４】
この場合、第１の誤差データおよび第２の誤差データへの誤差成分の分割方法が１フィールドごとに切り替えられる。それにより、映像の輝度がフィールドごとに周期的に変化することを防止することができる。その結果、フリッカの発生を十分に抑制することができる。
【００２５】
切替手段は、選択手段による選択を注目画素ごとに切り替えてもよい。この場合、第１の誤差データおよび第２の誤差データの誤差成分の分割方法が画素ごとに切り替えられる。それにより、映像の輝度が周期的に変化することを十分に防止することができる。その結果、フリッカの発生を十分に抑制することができる。
【００２６】
切替手段は、選択手段による選択をランダムに切り替える乱数発生手段を含んでもよい。
【００２７】
この場合、第１の誤差データおよび第２の誤差データへの誤差成分の分割方法がランダムに切り替えられる。その結果、フリッカの発生を十分に抑制することができる。
【００２８】
第１の映像信号は複数の第１の原色信号を含み、第２の映像信号は複数の第２の原色信号を含み、分割手段、選択手段および加算手段は、複数の第１の原色信号に対応して、それぞれ複数の分割手段、複数の選択手段および複数の加算手段を含み、切替手段は、複数の選択手段の選択を共通に切り替えてもよい。
【００２９】
この場合、共通の切替手段により複数の第１の原色信号に対応する誤差成分の分割方法が切り替えられる。それにより、回路規模が縮小されるとともにフリッカを抑制できる。
【００３０】
第１の映像信号は複数の第１の原色信号を含み、第２の映像信号は複数の第２の原色信号を含み、分割手段、選択手段、加算手段および切替手段は、複数の第１の原色信号に対応して、それぞれ複数の分割手段、複数の選択手段、複数の加算手段および複数の切替手段を含んでもよい。
【００３１】
この場合、複数の切替手段により複数の第１の原色信号に対応する誤差成分の分割方法がそれぞれ独立に切り替えられる。それにより、よりフリッカが抑制される。
【００３２】
第１の映像信号は第１の輝度信号を含み、第２の映像信号は第２の輝度信号を含んでもよい。
【００３３】
この場合、第１の輝度信号の下位（ｍ−ｎ）ビットに相当する誤差成分が時間的および空間的に第１の輝度信号に拡散される。それにより、小さな回路規模で第２の輝度信号の映像におけるフリッカの発生を十分に抑制することができる。
【００３４】
第２の発明に係る誤差拡散方法は、ｍビットの第１の映像信号をｎ（ｎ＜ｍ）ビットの第２の映像信号に変換する際に、第１の映像信号の下位（ｍ−ｎ）ビットに相当する誤差成分を第１の映像信号に拡散する誤差拡散方法であって、現フィールドにおける注目画素についての誤差成分を、他のフィールドに拡散されるべき第１の誤差データと現フィールドにおける注目画素の周囲の画素に拡散されるべき第２の誤差データとに複数の分割方法で分割するステップと、複数の分割方法のうちいずれかを選択するステップと、選択された分割方法を用いて得られた第１の誤差データを他のフィールドの第１の映像信号に加算するステップと、選択された分割方法を用いて得られた第２の誤差データを現フィールドにおける周囲の画素についての第１の映像信号に加算するステップと、選択を順次切り替えるステップとを備えたものである。
【００３５】
本発明に係る誤差拡散方法においては、現フィールドにおける注目画素についての誤差成分が、他のフィールドに拡散されるべき第１の誤差データと現フィールドにおける注目画素の周囲の画素に拡散されるべき第２の誤差データとに複数の分割方法で分割され、複数の分割方法のうちいずれかが選択される。そして、選択された分割方法を用いて得られた第１の誤差データが他のフィールドの第１の映像信号に加算される。それにより、第１の誤差データが時間的に拡散される。また、選択された分割方法を用いて得られた第２の誤差データが現フィールドにおける周囲の画素についての第１の映像信号に加算される。それにより、第２の誤差データが空間的に拡散される。この場合、分割方法の選択が順次切り替えられる。
【００３６】
このようにして、第１の誤差データおよび第２の誤差データへの誤差成分の分割方法が順次切り替えられるので、誤差成分の時間的な拡散方法および空間的な拡散方法が順次変化する。それにより、表示される映像において周期的な誤差拡散によるフリッカの発生が防止される。
【００３７】
第３の発明に係る表示装置は、ｍビットの第１の映像信号をｎ（ｎ＜ｍ）ビットの第２の映像信号に変換するとともに、第１の映像信号の下位（ｍ−ｎ）ビットに相当する誤差成分を第１の映像信号に拡散する第１の発明に係る誤差拡散装置と、誤差拡散装置により得られた第２の映像信号を表示する表示パネルとを備えたものである。
【００３８】
本発明に係る表示装置においては、現フィールドにおける注目画素についての誤差成分が、他のフィールドに拡散されるべき第１の誤差データと現フィールドにおける注目画素の周囲の画素に拡散されるべき第２の誤差データとに複数の分割方法で分割され、複数の分割方法のうちいずれかが選択される。そして、選択された分割方法を用いて得られた第１の誤差データが他のフィールドの第１の映像信号に加算される。それにより、第１の誤差データが時間的に拡散される。また、選択された分割方法を用いて得られた第２の誤差データが現フィールドにおける周囲の画素についての第１の映像信号に加算される。それにより、第２の誤差データが空間的に拡散される。この場合、分割方法の選択が順次切り替えられる。
【００３９】
このようにして、第１の誤差データおよび第２の誤差データへの誤差成分の分割方法が順次切り替えられるので、誤差成分の時間的な拡散方法および空間的な拡散方法が順次変化する。それにより、表示パネルに表示される映像において周期的な誤差拡散によるフリッカの発生が十分に防止される。
【発明の効果】
【００４０】
本発明に係る誤差拡散装置によれば、映像の輝度が周期的に変化することを十分に防止することができる。その結果、フリッカの発生を十分に抑制することができる。
【発明を実施するための最良の形態】
【００４１】
以下の実施の形態では、本発明を表示装置の一例としてプラズマディスプレイ装置に適用した場合を説明する。
【００４２】
図１は、本発明の実施の形態に係るプラズマディスプレイ装置の構成を示すブロック図である。
【００４３】
図１のプラズマディスプレイ装置は、Ａ／Ｄコンバータ（アナログ・デジタル変換器）１００、走査数変換部２００、誤差拡散装置３００、サブフィールド変換部４００、放電制御タイミング発生回路５００、ＰＤＰ（プラズマディスプレイパネル）６００、データドライバ７００、スキャンドライバ８００およびサステインドライバ９００を含む。
【００４４】
Ａ／Ｄコンバータ１００には映像信号ＶＳが入力される。また、放電制御タイミング発生回路５００、Ａ／Ｄコンバータ１００、走査数変換部２００、誤差拡散装置３００およびサブフィールド変換部４００には水平同期信号Ｈおよび垂直同期信号Ｖが与えられる。
【００４５】
Ａ／Ｄコンバータ１００は、映像信号ＶＳをデジタルの画像データＶＤに変換し、その画像データＶＤを走査数変換部２００に与える。
【００４６】
走査数変換部２００は、画像データＶＤをＰＤＰ６００の画素数に応じたライン数の画像データに変換し、各ラインごとの画像データを誤差拡散装置３００に与える。各ラインごとの画像データは、各ラインの複数の画素にそれぞれ対応する複数の画素データからなる。
【００４７】
誤差拡散装置３００は、走査数変換部２００から出力されたｍビットの画像データＶＤをｎビットの画像データＶＶに変換する。ｍおよびｎは正の整数であり、ｍ＞ｎである。この場合、後述するように、誤差拡散装置３００により画像データＶＤの下位（ｍ−ｎ）ビットに相当する誤差成分Ｅは、空間的および時間的に拡散される。誤差拡散装置３００により得られたｎビットの画像データＶＶは、サブフィールド変換部４００へ出力される。
【００４８】
サブフィールド変換部４００は、各ラインごとの画像データの各画素データを複数のサブフィールドに対応するシリアルデータＳＤに変換し、シリアルデータＳＤをデータドライバ７００に与える。
【００４９】
放電制御タイミング発生回路５００は、水平同期信号Ｈおよび垂直同期信号Ｖを基準として放電制御タイミング信号ＳＣ，ＳＵを発生する。放電制御タイミング発生回路５００は、放電制御タイミング信号ＳＣをスキャンドライバ８００に与え、放電制御タイミング信号ＳＵをサステインドライバ９００に与える。
【００５０】
ＰＤＰ６００は、複数のデータ電極５０、複数のスキャン電極６０および複数のサステイン電極７０を含む。複数のデータ電極５０は、画面の垂直方向に配列され、複数のスキャン電極６０および複数のサステイン電極７０は画面の水平方向に配列されている。複数のサステイン電極７０は共通に接続されている。
【００５１】
データ電極５０、スキャン電極６０およびサステイン電極７０の各交点に放電セルが形成され、各放電セルが画面上の画素を構成する。
【００５２】
データドライバ７００は、サブフィールド変換部４００から与えられるシリアルデータＳＤをパラレルデータに変換し、そのパラレルデータに基づいて書き込みパルスを複数のデータ電極５０に選択的に与える。
【００５３】
スキャンドライバ８００は、放電制御タイミング発生回路５００から与えられる放電制御タイミング信号ＳＣに基づいて各スキャン電極６０を駆動する。サステインドライバ９００は、放電制御タイミング発生回路５００から与えられる放電制御タイミング信号ＳＵに基づいてサステイン電極７０を駆動する。
【００５４】
図１に示すプラズマディスプレ装置では、階調表示駆動装置として、ＡＤＳ（Address Display-Period Separation：アドレス・表示期間分離）方式が用いられている。
【００５５】
図２は、図１に示すプラズマディスプレイ装置に適用されるＡＤＳ方式を説明するための図である。なお、図２では、駆動パルスの立ち下がり時に放電を行う負極性のパルスの例を示しているが、立ち上がり時に放電を行う正極性のパルスの場合でも基本的な動作は以下と同様である。
【００５６】
ＡＤＳ方式では、１フィールドを複数のサブフィールドに時間的に分割する。例えば、１フィールドを５つのサブフィールドＳＦ１〜ＳＦ５に分割する。また、各サブフィールドＳＦ１〜ＳＦ５は、初期化期間Ｒ１〜Ｒ５、書き込み期間ＡＤ１〜ＡＤ５、維持期間ＳＵＳ１〜ＳＵＳ５および消去期間ＲＳ１〜ＲＳ５に分離される。初期化期間Ｒ１〜Ｒ５においては、各サブフィールドの初期化処理が行われ、書き込み期間ＡＤ１〜ＡＤ５においては、点灯される放電セルを選択するためのアドレス放電が行われ、維持期間ＳＵＳ１〜ＳＵＳ５においては、表示のための維持放電が行われる。
【００５７】
初期化期間Ｒ１〜Ｒ５においては、サステイン電極７０に単一の初期化パルスが加えられ、スキャン電極６０にもそれぞれ単一の初期化パルスが加えられる。これにより予備放電が行われる。
【００５８】
書き込み期間ＡＤ１〜ＡＤ５においては、スキャン電極６０が順次走査され、データ電極５０から書き込みパルスを受けた放電セルだけに所定の書き込み処理が行われる。これによりアドレス放電が行われる。
【００５９】
維持期間ＳＵＳ１〜ＳＵＳ５においては、各サブフィールドＳＦ１〜ＳＦ５に重み付けされた値に応じた維持パルスがサステイン電極７０およびスキャン電極６０へ出力される。例えば、サブフィールドＳＦ１では、サステイン電極７０に維持パルスが１回印加され、スキャン電極６０に維持パルスが１回印加され、書き込み期間Ｐ２において選択された放電セル１４が２回維持放電を行う。また、サブフィールドＳＦ２では、サステイン電極７０に維持パルスが２回印加され、スキャン電極６０に維持パルスが２回印加され、書き込み期間Ｐ２において選択された放電セル１４が４回維持放電を行う。
【００６０】
上記のように、各サブフィールドＳＦ１〜ＳＦ５では、サステイン電極７０およびスキャン電極６０に１回、２回、４回、８回、１６回ずつ維持パルスが印加され、パルス数に応じた明るさ（輝度）で放電セルが発光する。すなわち、維持期間ＳＵＳ１〜ＳＵＳ５は、書き込み期間ＡＤ１〜ＡＤ５で選択された放電セルが明るさの重み付け量に応じた回数で放電する期間である。
【００６１】
以下、本発明の実施の形態に係る誤差拡散装置３００について図面を参照しながら説明する。
【００６２】
図３は本実施の形態に係る誤差拡散装置３００の構成を示すブロック図である。
【００６３】
図３に示すように、誤差拡散装置３００は、赤色原色信号、緑色原色信号および青色原色信号にそれぞれ対応して設けられた誤差拡散装置３００Ｒ、誤差拡散装置３００Ｇおよび誤差拡散装置３００Ｂを含む。
【００６４】
画像データＶＤは、赤色原色信号であるｍビットの画像データＶＤＲ、緑色原色信号であるｍビットの画像データＶＤＧおよび青色原色信号であるｍビットの画像データＶＤＢを含む。また、画像データＶＶは、赤色原色信号であるｎビットの画像データＶＶＲ、緑色原色信号であるｎビットの画像データＶＶＧおよび青色原色信号であるｎビットの画像データＶＶＢを含む。
【００６５】
誤差拡散装置３００Ｒは、画像データＶＤＲを受け、画像データＶＶＲを出力する。誤差拡散装置３００Ｇは、画像データＶＤＧを受け、画像データＶＶＧを出力する。誤差拡散装置３００Ｂは、画像データＶＤＢを受け、画像データＶＶＢを出力する。
【００６６】
また、誤差拡散装置３００は、誤差拡散装置３００Ｒに切替信号ｓｅｌを与える切替制御器４Ｒ、誤差拡散装置３００Ｇに切替信号ｓｅｌを与える切替制御器４Ｇおよび誤差拡散装置３００Ｂに切替信号ｓｅｌを与える切替制御器４Ｂを含む。なお、切替信号ｓｅｌについては後述する。
【００６７】
以下に、図３の誤差拡散装置３００Ｒについて詳細に説明する。
【００６８】
図４は図３の誤差拡散装置３００Ｒの構成を示すブロック図である。なお、誤差拡散装置３００Ｇおよび誤差拡散装置３００Ｂの構成は、誤差拡散装置３００Ｒの構成と同様である。
【００６９】
図４に示すように、誤差拡散装置３００Ｒは、誤差加算器１、最終誤差分割器２、誤差選択器３、切替制御器４Ｒ、フィールド間遅延器５およびフィールド内遅延器６を備える。
【００７０】
初期状態においては、原画像データであるｍビットの画像データＶＤＲが誤差加算器１に入力され、誤差加算器１から画像データＶＤ１として出力される。誤差加算器１から出力された画像データＶＤ１のうち上位ｎビットが画像データＶＶＲとして誤差拡散装置３００Ｒから出力される。誤差加算器１の詳細については後述する。
【００７１】
一方、ｍビットの画像データＶＤＲのうち下位ｋ（＝ｍ−ｎ）ビットが誤差成分Ｅとして最終誤差分割器２に入力される。
【００７２】
最終誤差分割器２は、ｋビットの誤差成分Ｅを、複数のフィールド間誤差と複数のフィールド内誤差とに分割する。ここで、フィールド間誤差とは、現フィールドより後のフィールドに時間的に拡散される誤差であり、フィールド内誤差とは、現フィールド内で空間的に拡散される誤差である。
【００７３】
次に、最終誤差分割器２によって得られた複数のフィールド間誤差と複数のフィールド内誤差は誤差選択器３に入力される。
【００７４】
一方、切替制御器４Ｒは、擬似乱数発生器からなる。切替制御器４Ｒは、切替信号ｓｅｌを誤差選択器３に与える。
【００７５】
誤差選択器３は、切替信号ｓｅｌに基づいて複数のフィールド間誤差および複数のフィールド内誤差から１つのフィールド間誤差および１つのフィールド内誤差をそれぞれフィールド間誤差Ｅ１およびフィールド内誤差Ｅ２として選択して出力する。
【００７６】
誤差選択器３より出力されたフィールド間誤差Ｅ１はフィールド間遅延器５に入力される。また、フィールド内誤差選択器３２より出力されたフィールド内誤差Ｅ２はフィールド内遅延器６に入力される。
【００７７】
フィールド間遅延器５は、フィールド間誤差Ｅ１を遅延して誤差加算器１へ出力する。また、フィールド内遅延器６は、フィールド内誤差Ｅ２を遅延して誤差加算器１へ出力する。フィールド間遅延器５およびフィールド内遅延器６の詳細については後述する。
【００７８】
誤差加算器１は、画像データＶＤＲにフィールド間誤差Ｅ１およびフィールド内誤差Ｅ２を加算して画像データＶＤ１として出力する。
【００７９】
図５は図４の最終誤差分割器２および誤差選択器３の詳細な構成を示すブロック図である。
【００８０】
図５に示すように、ｋ（＝ｍ−ｎ）ビットの誤差成分Ｅが、最終誤差分割器２内の入力端子ＰＩに入力される。ｋビットの誤差成分Ｅは、最下位ビット（ＬＳＢ）から最上位ビット（ＭＳＢ）までそれぞれデータ値Ｄ0〜Ｄk-1を有する。
【００８１】
誤差成分Ｅは、ｋ＋１通りのフィールド間誤差とｋ＋１通りのフィールド内誤差に分割される。本例では、誤差成分Ｅの各ビットがフィールド間誤差の対応するビットまたはフィールド内誤差の対応するビットに振り分けられることにより、誤差成分Ｅが複数の分割方法でフィールド間誤差とフィールド内誤差とに分割される。
【００８２】
第０番目のフィールド間誤差の最下位ビットから最上位ビットはそれぞれデータ値Ｄ0 〜Ｄk-1 を有する。第１番目のフィールド間誤差の最下位ビットは値“０”を有し、第２ビットから最上位ビットはそれぞれデータ値Ｄ1〜Ｄk-1を有する。第２番目のフィールド間誤差の最下位ビットおよび第２ビットはそれぞれ値“０”を有し、第３ビットから最上位ビットはそれぞれデータ値Ｄ2〜Ｄk-1を有する。同様に、第ｋ番目のフィールド間誤差の最下位ビットから最上位ビットは値“０”を有する。
【００８３】
また、第０番目のフィールド内誤差の最下位ビットから最上位ビットは値“０”を有する。第ｋ−２番目のフィールド内誤差の最下位ビットから第（ｋ−２）ビットはそれぞれデータ値Ｄ0〜Ｄk-3を有し、第（ｋ−１）ビットおよび最上位ビットはそれぞれ値“０”を有する。第ｋ−１番目のフィールド内誤差の最下位ビットから第（ｋ−１）ビットはそれぞれデータ値Ｄ0〜Ｄk-2を有し、最上位ビットは値“０”を有する。第ｋ番目のフィールド内誤差の最下位ビットから最上位ビットはそれぞれデータ値Ｄ0〜Ｄk-1を有する。
【００８４】
誤差選択器３は、フィールド間誤差選択器３１およびフィールド内誤差選択器３２を含む。フィールド間誤差選択器３１は、ｋ＋１個の入力端子ｉ１0〜ｉ１kおよび出力端子ＰＯ１を有する。また、フィールド内誤差選択器３２は、ｋ＋１個の入力端子ｉ２0〜ｉ２kおよび出力端子ＰＯ２を有する。
【００８５】
第０番目のフィールド間誤差は、フィールド間誤差選択器３１の入力端子ｉ１0 に与えられ、第１番目のフィールド間誤差は、フィールド間誤差選択器３１の入力端子ｉ１1 に与えられ、第２番目のフィールド間誤差は、フィールド間誤差選択器３１の入力端子ｉ１2 に与えられ、第ｋ番目のフィールド間誤差は、フィールド間誤差選択器３１の入力端子ｉ１k に与えられる。
【００８６】
また、第０番目のフィールド内誤差は、フィールド内誤差選択器３２の入力端子ｉ２0 に与えられ、第ｋ−２番目のフィールド内誤差は、フィールド内誤差選択器３２の入力端子ｉ２k-2 に与えられ、第ｋ−１番目のフィールド内誤差は、フィールド内誤差選択器３２の入力端子ｉ２k-1 に与えられ、第ｋ番目のフィールド内誤差は、フィールド内誤差選択器３２の入力端子ｉ２k に与えられる。
【００８７】
切替制御器４は、擬似乱数発生器からなるため、切替信号ｓｅｌの値はランダムに変化する。切替制御器４は、注目画素ごとに切替信号ｓｅｌを切り替える。
【００８８】
切替信号ｓｅｌの値が“０”の場合には、フィールド間誤差選択器３１の入力端子ｉ１0 の第０番目のフィールド間誤差がフィールド間誤差Ｅ１として出力端子ＰＯ１から出力され、フィールド内誤差選択器３２の入力端子ｉ２0 の第０番目のフィールド内誤差がフィールド内誤差Ｅ２として出力端子ＰＯ２から出力される。
【００８９】
切替信号ｓｅｌの値が“１”の場合には、フィールド間誤差選択器３１の入力端子ｉ１1 の第１番目のフィールド間誤差がフィールド間誤差Ｅ１として出力端子ＰＯ１から出力され、フィールド内誤差選択器３２の入力端子ｉ２1 （図示せず）の第１番目のフィールド内誤差がフィールド内誤差Ｅ２として出力端子ＰＯ２から出力される。
【００９０】
切替信号ｓｅｌの値が“２”の場合には、フィールド間誤差選択器３１の入力端子ｉ１2 の第２番目のフィールド間誤差がフィールド間誤差Ｅ１として出力端子ＰＯ１から出力され、フィールド内誤差選択器３２の入力端子ｉ２2 （図示せず）の第２番目のフィールド内誤差がフィールド内誤差Ｅ２として出力端子ＰＯ２から出力される。
【００９１】
切替信号ｓｅｌの値が“ｋ”の場合には、フィールド間誤差選択器３１の入力端子ｉ１k の第ｋ番目のフィールド間誤差がフィールド間誤差Ｅ１として出力端子ＰＯ１から出力され、フィールド内誤差選択器３２の入力端子ｉ２k の第ｋ番目のフィールド内誤差がフィールド内誤差Ｅ２として出力端子ＰＯ２から出力される。
【００９２】
図６は図５の最終誤差分割器２の動作の一具体例を示す図である。図６の例では、画像データＶＤ１が８ビット（ｍ＝８）であり、誤差成分Ｅが２ビット（ｋ＝２）である場合を説明する。
【００９３】
図６（ａ）は、画像データＶＤ１の一例を示し、図６（ｂ），（ｃ），（ｄ）の左側はフィールド間誤差の例を示し、右側はフィールド内誤差の例を示す。
【００９４】
図６（ａ）に示すように、８ビットからなる画像データＶＤ１はデータ値Ｄ0〜Ｄ7を有し、画像データＶＶＲはデータ値Ｄ2〜Ｄ7を有し、誤差成分Ｅはデータ値Ｄ0，Ｄ1を有する。
【００９５】
図６（ａ）の誤差成分Ｅは、図６（ｂ）、図６（ｃ）および図６（ｄ）のフィールド間誤差とフィールド内誤差との組み合わせに分割される。
【００９６】
図６（ｂ）の組み合わせでは、フィールド間誤差は、データ値Ｄ0，Ｄ1からなる。この場合、フィールド内誤差は、値“０”，“０”からなる。
【００９７】
図６（ｃ）の組み合わせでは、フィールド間誤差は、値“０”およびデータ値Ｄ1からなる。この場合、フィールド内誤差は、データ値Ｄ0および値“０”からなる。
【００９８】
図６（ｄ）の組み合わせでは、フィールド間誤差は、値“０”，“０”からなる。この場合、フィールド内誤差は、データ値Ｄ0，Ｄ1からなる。
【００９９】
図６（ｂ），（ｃ），（ｄ）のフィールド間誤差およびフィールド内誤差の３通りの組み合わせから誤差選択器３により１つの組み合わせがランダムに選択される。
【０１００】
図７は図４の誤差加算器１、フィールド間遅延器５およびフィールド内遅延器６の構成を示す図である。
【０１０１】
図７に示すように、誤差加算器１は、加算器１１，１２および乗算器１３〜１６を含む。また、フィールド内遅延器６は、遅延器６１〜６４を含む。
【０１０２】
フィールド間誤差Ｅ１は、フィールド間遅延器５に入力される。フィールド間遅延器５は、フィールド間誤差Ｅ１を１フィールドの期間（１Ｖ）遅延させて加算器１２へ出力する。
【０１０３】
また、フィールド内誤差Ｅ２は、フィールド内遅延器６内の遅延器６１〜６４にそれぞれ入力される。
【０１０４】
遅延器６１は、フィールド内誤差Ｅ２を１画素の期間（１Ｔ）だけ遅延させて乗算器１３へ出力する。遅延器６２は、フィールド内誤差Ｅ２を１ラインよりも１画素長い期間（１Ｈ＋１Ｔ）だけ遅延させて乗算器１４へ出力する。また、遅延器６３は、フィールド内誤差Ｅ２を１ラインの期間（１Ｈ）だけ遅延させて乗算器１５へ出力する。遅延器６４は、フィールド内誤差Ｅ２を１ラインよりも１画素短い期間（１Ｈ−１Ｔ）だけ遅延させて乗算器１６へ出力する。
【０１０５】
乗算器１３は、遅延器６１から出力されたフィールド内誤差Ｅ２に所定の係数Ｋ１を乗算して加算器１２へ出力する。乗算器１４は、遅延器６２から出力されたフィールド内誤差Ｅ２に所定の係数Ｋ２を乗算して加算器１２へ出力する。乗算器１５は、遅延器６３から出力されたフィールド内誤差Ｅ２に所定の係数Ｋ３を乗算して加算器１２へ出力する。乗算器１６は、遅延器６４から出力されたフィールド内誤差Ｅ２に所定の係数Ｋ４を乗算して加算器１２へ出力する。
【０１０６】
ここで、各係数Ｋ１，Ｋ２，Ｋ３，Ｋ４は、Ｋ１＋Ｋ２＋Ｋ３＋Ｋ４＝１の関係を満たす適当な値に設定される。例えば、係数Ｋ１〜Ｋ４としては、それぞれ７／１６、１／１６、５／１６および３／１６が用いられる。
【０１０７】
加算器１２は、フィールド間遅延器５の出力および乗算器１３〜１６の出力を加算し、その加算結果を最終誤差成分Ｅ３として加算器１１へ出力する。
【０１０８】
加算器１１は、入力される画像データＶＤＲと加算器１２から出力される最終誤差成分Ｅ３とを加算しその加算結果を画像データＶＤ１として出力する。
【０１０９】
図８（ａ）は図７の誤差加算器１およびフィールド内遅延器６によるフィールド内誤差Ｅ２の空間的な拡散を示す図であり、図８（ｂ）は誤差加算器１およびフィールド間遅延器５によるフィールド間誤差Ｅ１の時間的な拡散を示す図である。
【０１１０】
図８（ａ）に示すように、注目画素Ｐｘ０のフィールド内誤差Ｅ２が同ラインの右側に隣接する画素Ｐｘ１、下のラインにおいて右斜め下方の画素Ｐｘ２、注目画素Ｐｘ０の下方に隣接する画素Ｐｘ３および左斜め下方の画素Ｐｘ４に空間的に拡散される。
【０１１１】
画素Ｐｘ１へは、フィールド内誤差Ｅ２に係数Ｋ１を乗算した値が拡散され、画素Ｐｘ２へは、フィールド内誤差Ｅ２に係数Ｋ２を乗算した値が拡散され、画素Ｐｘ３へは、フィールド内誤差Ｅ２に係数Ｋ３を乗算した値が拡散され、画素Ｐｘ４へは、フィールド内誤差Ｅ２に係数Ｋ４を乗算した値が拡散される。
【０１１２】
図８（ｂ）に示すように、注目画素Ｐｘ０のフィールド間誤差Ｅ１が次フィールドにおいて、注目画素Ｐｘ０と同一座標の画素Ｐｘ６に時間的に拡散される。
【０１１３】
以上のように、本実施の形態においては、フィールド間誤差Ｅ１およびフィールド内誤差Ｅ２への誤差成分Ｅの分割方法が順次切り替えられるので、誤差成分Ｅの時間的な拡散方法および空間的な拡散方法が順次変化する。それにより、表示される映像において周期的な誤差拡散によるフリッカの発生が防止される。
【０１１４】
また、フィールド間誤差Ｅ１およびフィールド内誤差Ｅ２への誤差成分Ｅの分割方法が画素ごとに切り替えられ、また、フィールド間誤差Ｅ１およびフィールド内誤差Ｅ２への誤差成分Ｅの分割方法がランダムに切り替えられるので、映像の輝度が周期的に変化することを十分に防止することができる。その結果、フリッカの発生を十分に抑制することができる。
【０１１５】
また、誤差成分Ｅを構成する複数のビットの各々が、フィールド間誤差Ｅ１またはフィールド内誤差Ｅ２のそれぞれに対応するビットに振り分けられる。これにより、誤差拡散による輝度変化に周期性が生じない。
【０１１６】
さらに、切替制御器４Ｒ，４Ｇ，４Ｂにより画像データＶＤＲ，ＶＤＧ，ＶＤＢに対応する誤差成分Ｅの分割方法がそれぞれ独立に切り替えられる。それにより、滑らかな映像が得られる。
【０１１７】
図９は本実施の形態に係る誤差拡散装置３００の他の構成を示すブロック図である。
【０１１８】
図９に示す誤差拡散装置３００が図３に示す誤差拡散装置３００と異なる点は、切替制御器４Ｒ，４Ｇ，４Ｂの代わりに共通の切替制御器４が設けられている点である。切替制御器４から誤差拡散装置３００Ｒ、誤差拡散装置３００Ｇおよび誤差拡散装置３００Ｂのそれぞれに対して切替信号ｓｅｌが与えられる。
【０１１９】
この場合、共通の切替制御器４により画像データＶＤＲ，ＶＤＧ，ＶＤＢに対応する誤差成分Ｅの分割方法が切り替えられる。それにより、回路規模を抑えながらフリッカを抑制できる。
【０１２０】
図１０は本実施の形態に係る誤差拡散装置３００のさらに他の構成を示すブロック図である。
【０１２１】
図１０に示す誤差拡散装置３００が、図９に示した誤差拡散装置３００と異なる点は、誤差拡散装置３００Ｒ、誤差拡散装置３００Ｇおよび誤差拡散装置３００Ｂの代わりに、輝度信号の誤差成分Ｅを拡散するための誤差拡散装置３００Ｙが設けられている点である。
【０１２２】
この場合、画像データＶＤＹの誤差成分Ｅが時間的および空間的に画像データＶＶＹに拡散される。それにより、小さな回路規模で映像におけるフリッカの発生を十分に抑制することができる。
【０１２３】
本実施の形態においては、画像データＶＤＲ，ＶＤＧ，ＶＤＢ，ＶＤＹが第１の映像信号に相当し、画像データＶＶＲ，ＶＶＧ，ＶＶＢ，ＶＶＹが第２の映像信号に相当し、フィールド間誤差Ｅ１が第１の誤差データに相当し、フィールド内誤差Ｅ２が第２の誤差データに相当する。また、最終誤差分割器２が分割手段に相当し、誤差選択器３が選択手段に相当し、加算器１１および加算器１２が加算手段に相当し、切替制御器４，４Ｒ，４Ｇ，４Ｂが切替手段に相当し、プラズマディスプレイパネル６００が表示パネルに相当する。
【０１２４】
なお、図５の例では、データ値Ｄ0〜Ｄk-1のうち連続するビットのデータ値をフィールド間誤差Ｅ１に割り当て、残りの連続するビットのデータ値をフィールド内誤差Ｅ２に割り当てているが、これに限定されず、データ値Ｄ0〜Ｄk-1のうち任意のビットのデータ値をフィールド間誤差Ｅ１に割り当て、残りのビットのデータ値をフィールド内誤差Ｅ２に割り当ててもよい。例えば、誤差成分Ｅが４ビットの場合、データ値Ｄ0〜Ｄ3のうちデータ値Ｄ0，Ｄ2をフィールド間誤差Ｅ１に割り当て、データ値Ｄ1，Ｄ3をフィールド内誤差Ｅ２に割り当ててもよい。
【０１２５】
また、本実施の形態においては、最終誤差分割器２による誤差成分Ｅの分割はビット単位で選択されるものとしたが、これに限定されるものではなく、誤差成分Ｅの値を複数種類の比でフィールド間誤差Ｅ１およびフィールド内誤差Ｅ２に分割し、複数種類の比のうちいずれかを選択してもよい。
【０１２６】
ここで、誤差成分の値をｅとする。この場合、例えば比を０：１０とした場合、フィールド間誤差Ｅ１の値は０となり、フィールド内誤差Ｅ２の値はｅとなる。また、比を１：９とした場合、フィールド間誤差Ｅ１の値はｅ／１０となり、フィールド内誤差Ｅ２の値は９ｅ／１０となる。さらに、比を２：８とした場合、フィールド間誤差Ｅ１の値は２ｅ／１０となり、フィールド内誤差Ｅ２の値は８ｅ／１０となる。同様に、比を１０：０とした場合、フィールド間誤差Ｅ１の値はｅとなり、フィールド内誤差Ｅ２の値は０となる。
【０１２７】
さらに、切替制御器４の擬似乱数発生器は、少なくともフィールド毎に誤差成分Ｅの全てをフィールド間誤差Ｅ１に割り当てるように構成してもよい。それにより、特有の誤差拡散模様の発生が防止される。また、切替制御器４の擬似乱数発生器は、少なくともフィールド毎に誤差成分Ｅの全てをフィールド内誤差Ｅ２に割り当てるように構成してもよい。それにより、フリッカの原因を除去することができる。
【図面の簡単な説明】
【０１２８】
【図１】本発明の実施の形態に係るプラズマディスプレイ装置の構成を示すブロック図
【図２】図１に示すプラズマディスプレイ装置に適用されるＡＤＳ方式を説明するための図
【図３】本実施の形態に係る誤差拡散装置の構成を示すブロック図
【図４】図３の誤差拡散装置の構成を示すブロック図
【図５】図４の最終誤差分割器２および誤差選択器３の詳細な構成を示すブロック図
【図６】図５の最終誤差分割器の動作の一具体例を示す図
【図７】図４の誤差加算器、フィールド間遅延器およびフィールド内遅延器の構成を示す図
【図８】（ａ）は図７の誤差加算器およびフィールド内遅延器によるフィールド内誤差の空間的な拡散を示す図であり、図８（ｂ）は誤差加算器およびフィールド間遅延器によるフィールド間誤差の時間的な拡散を示す図
【図９】本実施の形態に係る誤差拡散装置の他の構成を示すブロック図
【図１０】本実施の形態に係る誤差拡散装置のさらに他の構成を示すブロック図
【符号の説明】
【０１２９】
１  誤差加算器
２  最終誤差分割器
３  誤差選択器
４，４Ｒ，４Ｇ，４Ｂ  切替制御器
１１，１２  加算器
３００，３００Ｒ，３００Ｇ，３００Ｂ  誤差拡散装置
６００  プラズマディスプレイパネル
Ｅ  誤差成分
Ｅ１  フィールド間誤差
Ｅ２  フィールド内誤差
ｓｅｌ  切替信号
ＶＤ，ＶＶ，ＶＤＲ，ＶＤＧ，ＶＤＢ，ＶＤＹ，ＶＶＲ，ＶＶＧ，ＶＶＢ，ＶＶＹ，ＶＤ１，  画像データ
ＶＳ  映像信号
【図１】
2005106888.tif 000003
【図２】
2005106888.tif 000004
【図３】
2005106888.tif 000005
【図４】
2005106888.tif 000006
【図５】
2005106888.tif 000007
【図６】
2005106888.tif 000008
【図７】
2005106888.tif 000009
【図８】
2005106888.tif 000010
【図９】
2005106888.tif 000011
【図１０】
2005106888.tif 000012